(57)【要約】【課題】ループ状の捕獲ワイヤの縮径作動機構部上方に一定の保温空間を保持して凍結防止プレートを閉蓋するように構成して、縮径作動機構部の凍結を防止し、冬場の捕獲作動に支障のないようにした害獣の捕獲具に関する。【解決手段】筒状の捕獲ケースの周側壁に捕獲ワイヤ導出用の切欠部を形成し、切欠部から捕獲ケース内に捕獲ワイヤを導入して捕獲ケース内でループ部を形成すると共に、捕獲ケース上部から一定の保温空間を保持して該ケース内に踏板を架設し、踏板の外周側面と捕獲ケース内周側面との間で捕獲ワイヤのループ部を挟持すべく構成し、しかも筒状の捕獲ケースの上端開口部には、下方の踏板との間に保温空間を保持して隠ぺいプレートを閉蓋した。【選択図】図１
2020124152.tif 000002
【特許請求の範囲】
【請求項１】
筒状の捕獲ケースの周側壁に捕獲ワイヤ導出用の切欠部を形成し、切欠部から捕獲ケース内に捕獲ワイヤを導入して捕獲ケース内でループ部を形成すると共に、捕獲ケース上部から一定の保温空間を保持して該ケース内に踏板を架設し、踏板の外周側面と捕獲ケース内周側面との間で捕獲ワイヤのループ部を挟持すべく構成し、しかも筒状の捕獲ケースの上端開口部には、下方の踏板との間に保温空間を保持して隠ぺいプレートを閉蓋したことを特徴とする害獣の積雪時捕獲具。
【請求項２】
捕獲ケースの切欠部から導出した捕獲ワイヤの両側自由端は、それぞれワイヤループ緊締機構部に連動連結すると共に、ワイヤループ緊締機構部は、２本のワイヤ挿通パイプと、ワイヤ挿通パイプの前端部に設けたワイヤガイド体と、該パイプ後端部に設け、かつループ緊締方向にのみ捕獲ワイヤを挿通可能としたストッパー機能体と、ワイヤ挿通パイプ中に収納し、ワイヤガイド体から巻きバネ体中を通りストッパー機能体を挿通して捕獲ケース中でループを形成する捕獲ワイヤとより構成したことを特徴とする請求項１に記載の害獣の積雪時捕獲具。
【請求項３】
筒状の捕獲ケースの上部内周側面には、上端開口部から保温空間を保持する高さに複数の踏板支持突条を突設し、該突条上端面に踏板を架設したことに特徴とする請求項１または請求項２に記載の害獣の積雪時捕獲具。
【請求項４】
踏板支持突条は、横断面略半円形状としたことを特徴とする請求項１乃至３のいずれか１項に記載の害獣の積雪時捕獲具。
【発明の詳細な説明】
【技術分野】
【０００１】
この発明は、害獣の積雪時捕獲具に関する。
【０００２】
従来、害獣捕獲具は、基本的には踏板とループ形状の捕獲ワイヤと踏板の降下（落下）作動を捕獲ワイヤの縮径作動に連動させる捕獲ワイヤ連動機構とより構成されている。
害獣が踏板を踏むと踏板の降下作動に伴い捕獲ワイヤ連動機構を介してループ形状の捕獲ワイヤが縮径作動して害獣の脚部を捕獲する（例えば、特許文献１）。
【先行技術文献】
【特許文献】
【０００３】
【特許文献１】特開２０１７-１６９５５４号公報
【発明の概要】
【発明が解決しようとする課題】
【０００４】
しかし、冬場の積雪地方では、捕獲具の作動部分、特にループ状の捕獲ワイヤの縮径作動機構部が凍結して動かなくなり、捕獲具の機能を果たさなくなる恐れが生じる。
【０００５】
この発明は、ループ状の捕獲ワイヤの縮径作動機構部上方に一定の保温空間を保持して凍結防止プレートを閉蓋するように構成して、縮径作動機構部の凍結を防止し、冬場の捕獲作動に支障のないようにした害獣の捕獲具に関する。
【課題を解決するための手段】
【０００６】
この発明は、筒状の捕獲ケースの周側壁に捕獲ワイヤ導出用の切欠部を形成し、切欠部から捕獲ケース内に捕獲ワイヤを導入して捕獲ケース内でループ部を形成すると共に、捕獲ケース上部から一定の保温空間を保持して該ケース内に踏板を架設し、踏板の外周側面と捕獲ケース内周側面との間で捕獲ワイヤのループ部を挟持すべく構成し、しかも筒状の捕獲ケースの上端開口部には、下方の踏板との間に保温空間を保持して隠ぺいプレートを閉蓋したことを特徴とする害獣の積雪時捕獲具を提供せんとするものである。
【０００７】
また、捕獲ケースの切欠部から導出した捕獲ワイヤの両側自由端は、それぞれワイヤループ緊締機構部に連動連結すると共に、ワイヤループ緊締機構部は、２本のワイヤ挿通パイプと、ワイヤ挿通パイプの前端部に設けたワイヤガイド体と、該パイプ後端部に設け、かつループ緊締方向にのみ捕獲ワイヤを挿通可能としたストッパー機能体と、ワイヤ挿通パイプ中に収納し、ワイヤガイド体から巻きバネ体中を通りストッパー機能体を挿通して捕獲ケース中でループを形成する捕獲ワイヤとより構成したことに特徴を有する。
【０００８】
また、筒状の捕獲ケースの上部内周側面には、上端開口部から保温空間を保持する高さに複数の踏板支持突条を突設し、該突条上端面に踏板を架設したことに特徴を有する。
【０００９】
また、踏板支持突条は、横断面略半円形状としたことに特徴を有する。
【発明の効果】
【００１０】
請求項１の発明によれば、踏板と隠ぺいプレートとの間に保温空間を保持しているので、積雪状況で捕獲具を使用する場合に、積雪面より下方に一定の保温空間を形成し、積雪状態の冷気が捕獲具の構成機構に直接に伝播しないこととなり、踏み板を害獣が踏んだ場合、踏板降下作動をパラメータとして捕獲ワイヤのトラップ機構が作動する際に、ワイヤのループの連動縮径機構が凍結しないので、踏板降下作動から捕獲ワイヤ縮径作動までの連動を迅速に、かつ確実に行うことができる効果がある。
【００１１】
請求項２の発明によれば、ワイヤループ緊締機構を設けて捕獲ワイヤが踏板作動を契機として縮径作動する際に、迅速にかつ円滑に連動することができ、しかもワイヤループ緊締機構は、捕獲ワイヤのループ部の左右両自由端を同時に左右端から引張る二本のワイヤ挿通パイプとそれぞれのワイヤ引張り作動を行う巻きバネ体より構成しているので、ワイヤ一端の自由端を固定する従来の捕獲具に比し、半分の時間と応力でループ部の縮径作動を行うことができ、従って害獣の捕獲作業を迅速に行うことができる効果を有する。
【００１２】
請求項３及び４の発明によれば、踏板支持突条を筒状の捕獲ケースの内周側面に突設しているので、断面略半円形の突条の上端面に踏板を載置する作業で保温空間を容易に構成することができ、害獣の捕獲現場における捕獲具の設置が容易に行える効果がある。
【図面の簡単な説明】
【００１３】
【図１】本発明の実施形態における積雪時捕獲具を示す斜視図である。
【図２】本発明の実施形態における積雪時捕獲具の内部を示す斜視図である。
【図３】本発明の実施形態における積雪時捕獲具を地面に設置した状態を示す断面図である。
【図４】本発明の実施形態における積雪時捕獲具のワイヤ緊締機構部を示す断面図である。
【発明を実施するための形態】
【００１４】
この発明の要旨は、筒状の捕獲ケースの周側壁に捕獲ワイヤ導出用の切欠部を形成し、切欠部から捕獲ケース内に捕獲ワイヤを導入して捕獲ケース内でループ部を形成すると共に、捕獲ケース上部から一定の保温空間を保持して該ケース内に踏板を架設し、踏板の外周側面と捕獲ケース内周側面との間で捕獲ワイヤのループ部を挟持すべく構成し、しかも筒状の捕獲ケースの上端開口部には、下方の踏板との間に保温空間を保持して隠ぺいプレートを閉蓋したことを特徴とする害獣の積雪時捕獲具を提供せんとするものである。
また、捕獲ケースの切欠部から導出した捕獲ワイヤの両側自由端は、それぞれワイヤループ緊締機構部に連動連結すると共に、ワイヤループ緊締機構部は、２本のワイヤ挿通パイプと、ワイヤ挿通パイプの前端部に設けたワイヤガイド体と、該パイプ後端部に設け、かつループ緊締方向にのみ捕獲ワイヤを挿通可能としたストッパー機能体と、ワイヤ挿通パイプ中に収納し、ワイヤガイド体から巻きバネ体中を通りストッパー機能体を挿通して捕獲ケース中でループを形成する捕獲ワイヤとより構成したことに特徴を有する。
また、筒状の捕獲ケースの上部内周側面には、上端開口部から保温空間を保持する高さに複数の踏み板支持突条を突設し、該突条上端面に踏み板を架設したことに特徴を有する。
また、踏板支持突条は、横断面略半円形状としたことに特徴を有する。
【００１５】
この発明の実施例を図面に基づき詳説する。
図１は、本発明捕獲具Ａの斜視説明図であり、図２は本発明捕獲具Ａの内部を示す斜視図である。符号１は、筒状の捕獲ケースであり、その周側壁１´の一部には切欠部２を形成し、この切欠部２に後述するワイヤループ緊締機構部Ｂの先端部を嵌着する。ワイヤループ緊締機構部Ｂから導出する捕獲ワイヤＣは、捕獲ケース１内において、ループ部３を形成する。ループ部３は、捕獲ケース１内において水平に配置した踏板４の外周端面４´を囲繞する。なお、踏板４の外周端面４´には、環状凹部４”を形成して、ループ部３が外周端面４´に嵌着しやすくしている。また、踏板４は、捕獲ケース１の上端開口部から一定深さの保温空間Ｓを保持して該ケース１内に架設されている。しかも、踏板４は材質を発泡樹脂等の折曲崩壊しやすく耐熱性を有する素材で構成されている。具体的には、筒状の捕獲ケース１の内周壁面に複数本の踏板支持突条７を縦方向に設けており、この踏板支持突条７は捕獲ケース上端から踏板支持突条７の頭部までの間に保温空間Ｓを保持する高さ位置に突設しており、踏板支持突条７の上端面は横断面半円形に形成して踏板４が載置しやすくしている。
【００１６】
また、図３に示すように、捕獲ケース１の上端開口部は隠ぺいプレート８を閉蓋して地上面と略面一に設けており、寒冷地での積雪時には地上面と共に隠ぺいプレート８に積雪して害獣のトラップ機能を果たす。
【００１７】
従って、地面に設定した捕獲ケース１において地上積雪下の隠ぺいプレート８とその下方の踏板４との間には保温空間Ｓが形成されることになり、トラップ機構の連動部分の凍結を防止することができ、積雪状態でも捕獲具の有効な機能を確保することができる。
【００１８】
また、ループ部３と捕獲ワイヤＣの両側自由端Ｃ´は、図１に示すように、ワイヤループ緊締機構部Ｂに連結されて、害獣が隠ぺいプレート８から踏板４を踏み落とすとループ部３がワイヤループ緊締機構部Ｂの作動により縮径して害獣の脚部を捕縛する。
【００１９】
ワイヤループ緊締機構部Ｂは、先端にワイヤガイド体１０を設け、該ガイド体１０に二本の内側ワイヤ挿通パイプ１１，１１´を連結し、外側挿貫パイプ１３中に挿入された該挿通パイプ１１，１１´中に捕獲ワイヤＣの両側自由端Ｃ´を挿通し、そのまま該挿通パイプ１１，１１´後端に配設したストッパー機能体１２中を挿通している。内側ワイヤ挿通パイプ１１、１１´はそれぞれ外側挿貫パイプ１３に挿貫されており、二本の外側挿貫パイプ１３は、一体に外形ケース１４で包皮されている。
【００２０】
内側ワイヤ挿通パイプ１１、１１´中には巻きバネ１５がワイヤガイド体１０とストッパー機能体１２との間で圧縮されて収納されており、内側ワイヤ挿通パイプ１１、１１´中の巻きバネ１５内には捕獲ワイヤＣのループ基端に位置する両側自由端Ｃ´が挿貫されている。
【００２１】
従って、内側ワイヤ挿通パイプ１１、１１´中の巻きバネ１５内に挿通された捕獲ワイヤＣの両側自由端Ｃ´は踏板４の折曲により、ループ部の縮径作動を生起し、捕獲ワイヤＣの両側自由端Ｃ´は巻きバネ１５の伸長復元作動により引張られ、同時にループ部の縮径による捕縛を行う。
【００２２】
ストッパー機能体１２は、捕獲ワイヤＣの左右両自由端が内円筒体１２−１を挿通し、内円筒体１２−１は、外円筒体１２−２中に収納され、外円筒体１２−２はテーパー周壁としており、内側円筒体１２−１、２の周壁面にはボール用孔１２−４を複数個穿設している。
【００２３】
捕獲ワイヤＣの自由端がループ方向に引張られる場合は、内円筒体１２−１は、外円筒体１２−２の先端開口部方向に変位して、ボール用孔１２−４に位置するストッパーボール１６は、捕獲ワイヤＣを挟持しない位置に変位する。
【００２４】
他方、自由端がループと反対方向に引張られる場合は、内円筒体１２−１は、外円筒体１２−２の後端開口部方向に変位し、各ストッパーボール１６は外円筒体１２−２のテーパー周壁により内側に変位して、各ストッパーボール１６が、捕獲ワイヤＣの自由端を挟持し、これ以上後方向に移動しないようなストッパー機能を果たす。
【００２５】
このようにワイヤループ緊締機構部Ｂは構成されているので、害獣の捕獲は次のように行われる。
【００２６】
すなわち、害獣の脚体が捕獲ケース上面の隠ぺいプレート８を踏板４と共に踏むと踏板４が捕獲ケース１の内部で下方に折曲崩壊して踏板４の外周端面４´を囲繞してループを形成した捕獲ワイヤＣは、ワイヤループ緊締機構部Ｂの作用により、捕獲ワイヤＣを引張ってループ部を縮径して害獣の脚体を捕縛する。
【００２７】
なお、本発明は上述した実施形態に限られず、上述した実施形態の中で開示した各構成を相互に置換したり組合せを変更したりした構成、公知発明並びに上述した実施形態の中で開示した各構成を相互に置換したり組合せを変更したりした構成、等も含まれる。また、本発明の技術的範囲は上述した実施形態に限定されず、特許請求の範囲に記載された事項とその均等物まで及ぶものである。
【符号の説明】
【００２８】
１  筒状の捕獲ケース
１´周側壁
２  切欠部
３  ループ部
４  踏板
４´外周端面
６  隠ぺいプレート
７  踏板支持用突条
８  隠ぺいプレート
１０  ワイヤガイド体
１１  内側ワイヤ挿通パイプ
１１´内側ワイヤ挿通パイプ
１２  ストッパー機能体
１２−１  内円筒体
１２−２  外円筒体
１２−４  ポール用孔
１３  外側挿通パイプ
１４  外形ケース
１５  巻きバネ
Ａ  捕獲具
Ｂ  ワイヤループ緊締機構部
Ｃ  捕獲ワイヤ
Ｃ´両側自由端
Ｓ  保温空間
【図１】
2020124152.tif 000003
【図２】
2020124152.tif 000004
【図３】
2020124152.tif 000005
【図４】
2020124152.tif 000006